(57)【要約】【課題】車両の始動時にバッテリの温度が低い状況や高い状況である場合、バッテリの劣化を防止することができる車両用制御システムを提供する。【解決手段】車両用制御システムＶＣは、バッテリ５５から給電されて車室内を空調すると共に、バッテリ５５の温度を調整する車両用空気調和装置１と、車両の走行並びに車両用空気調和装置の運転を制御する制御部を備えたものであって、制御部は、車両を始動したとき、バッテリ５５の温度が所定の許容下限温度より低い場合は、車両用空気調和装置１による車室内の空調を禁止し、車両用空気調和装置１によりバッテリ５５を加熱する始動時バッテリ温調制御を実行する。【選択図】図１
2019169260.tif 000002
【特許請求の範囲】
【請求項１】
バッテリから給電されて車室内を空調すると共に、前記バッテリの温度を調整する車両用空気調和装置と、車両の走行並びに前記車両用空気調和装置の運転を制御する制御部を備えた車両の制御システムであって、
前記制御部は、前記車両を始動したとき、前記バッテリの温度が所定の許容下限温度より低い場合は、前記車両用空気調和装置による前記車室内の空調を禁止し、当該車両用空気調和装置により前記バッテリを加熱する始動時バッテリ温調制御を実行することを特徴とする車両用制御システム。
【請求項２】
前記制御部は、前記始動時バッテリ温調制御において、前記バッテリの温度が所定の許容上限温度より高い場合は、前記車両用空気調和装置による前記車室内の空調を禁止し、当該車両用空気調和装置により前記バッテリを冷却することを特徴とする請求項１に記載の車両用制御システム。
【請求項３】
バッテリから給電されて車室内を空調すると共に、前記バッテリの温度を調整する車両用空気調和装置と、車両の走行並びに前記車両用空気調和装置の運転を制御する制御部を備えた車両の制御システムであって、
前記制御部は、前記車両を始動したとき、前記バッテリの温度が所定の許容上限温度より高い場合は、前記車両用空気調和装置による前記車室内の空調を禁止し、当該車両用空気調和装置により前記バッテリを冷却する始動時バッテリ温調制御を実行することを特徴とする車両用制御システム。
【請求項４】
前記制御部は、前記始動時バッテリ温調制御においては、前記車両の走行も禁止することを特徴とする請求項１乃至請求項３のうちの何れかに記載の車両用制御システム。
【請求項５】
前記制御部は、予め設定された所定のプレ空調開始予定時刻に前記車両を始動し、前記車両用空気調和装置による前記車室内の空調を開始するプレ空調機能を有すると共に、
前記プレ空調開始予定時刻に前記車両を始動し、前記車両用空気調和装置による前記車室内の空調を開始するときにも、前記始動時バッテリ温調制御を実行することを特徴とする請求項１乃至請求項４のうちの何れかに記載の車両用制御システム。
【請求項６】
前記制御部は、前記バッテリの温度が前記許容下限温度以上に上昇した場合、前記始動時バッテリ温調制御を終了して前記車両用空気調和装置による前記車室内の空調を許可し、又は、前記車両の走行並びに前記車両用空気調和装置による前記車室内の空調を許可すると共に、前記車両用空気調和装置により前記バッテリの温度を前記許容下限温度以上に維持し、
及び／又は、前記バッテリの温度が前記許容上限温度以下に低下した場合、前記始動時バッテリ温調制御を終了して前記車両用空気調和装置による前記車室内の空調を許可し、又は、前記車両の走行並びに前記車両用空気調和装置による前記車室内の空調を許可すると共に、前記車両用空気調和装置により前記バッテリの温度を前記許容上限温度以下に維持することを特徴とする請求項１乃至請求項５のうちの何れかに記載の車両用制御システム。
【請求項７】
前記車両用空気調和装置は、
冷媒を圧縮する圧縮機と、
前記冷媒を放熱させて前記車室内に供給する空気を加熱する放熱器と、
前記冷媒を吸熱させて前記車室内に供給する空気を冷却する吸熱器と、
車室外に設けられて前記冷媒を吸熱、又は、放熱させる室外熱交換器と、
前記バッテリに熱媒体を循環させて当該バッテリの温度を調整するバッテリ温度調整装置を備え、
該バッテリ温度調整装置は、前記冷媒と前記熱媒体とを熱交換させる冷媒−熱媒体熱交換器と、前記熱媒体を加熱する加熱装置を有すると共に、
前記制御部は、前記バッテリ自体の温度、又は、前記熱媒体の温度を前記バッテリの温度として前記車両用空気調和装置の運転、又は、前記車両の走行並びに前記車両用空気調和装置の運転を制御することを特徴とする請求項１乃至請求項６のうちの何れかに記載の車両用制御システム。
【発明の詳細な説明】
【技術分野】
【０００１】
本発明は、バッテリから給電される車両用空気調和装置にて車室内を空調すると共に、バッテリの温調も行う車両用の制御システムに関するものである。
【背景技術】
【０００２】
近年の環境問題の顕在化から、搭載されたバッテリから供給される電力で走行用モータを駆動するハイブリッド自動車や電気自動車等の車両が普及するに至っている。そして、このような車両に適用することができる空気調和装置として、圧縮機と、放熱器と、吸熱器と、室外熱交換器が接続された冷媒回路を備え、圧縮機から吐出された冷媒を放熱器において放熱させ、この放熱器において放熱した冷媒を室外熱交換器において吸熱させる暖房モード（暖房運転）と、圧縮機から吐出された冷媒を室外熱交換器において放熱させ、吸熱器において吸熱させる冷房モード（冷房運転）を切り換えて実行するものが開発されている（例えば、特許文献１参照）。
【０００３】
また、上記のような電気自動車は、バッテリから車両用空気調和装置に給電して車室内を空調するものであるが、バッテリは高温の状態や極低温の状態では充放電が困難となるため、バッテリの温度を所定の温度範囲に調整するバッテリ温度調整装置を備えたものも開発されている（例えば、特許文献２、特許文献３参照）。
【先行技術文献】
【特許文献】
【０００４】
【特許文献１】特開２０１４−２１３７６５号公報
【特許文献２】特許第５８６０３６０号公報
【特許文献３】特許第５８６０３６１号公報
【発明の概要】
【発明が解決しようとする課題】
【０００５】
しかしながら、例えば極低温の状態で車両が走行し始める場合、バッテリが出力可能な電流が低くなるため、走行と車室内の空調双方の動力を賄うことができなくなる。また、そのような状態でバッテリが放電するとバッテリ自体の耐久性に悪影響を与えることになる。これはバッテリが高温の状態においても同様であり、車両の始動時に極低温や高温の状態でバッテリを放電させると、著しくバッテリが劣化する。
【０００６】
本発明は、係る従来の技術的課題を解決するために成されたものであり、車両の始動時にバッテリの温度が低い状況や高い状況である場合、バッテリの劣化を防止することができる車両用制御システムを提供することを目的とする。
【課題を解決するための手段】
【０００７】
請求項１の発明の車両用制御システムは、バッテリから給電されて車室内を空調すると共に、バッテリの温度を調整する車両用空気調和装置と、車両の走行並びに車両用空気調和装置の運転を制御する制御部を備えたものであって、制御部は、車両を始動したとき、バッテリの温度が所定の許容下限温度より低い場合は、車両用空気調和装置による車室内の空調を禁止し、当該車両用空気調和装置によりバッテリを加熱する始動時バッテリ温調制御を実行することを特徴とする。
【０００８】
請求項２の発明の車両用制御システムは、上記発明において制御部は、始動時バッテリ温調制御において、バッテリの温度が所定の許容上限温度より高い場合は、車両用空気調和装置による車室内の空調を禁止し、当該車両用空気調和装置によりバッテリを冷却することを特徴とする。
【０００９】
請求項３の発明の車両用制御システムは、バッテリから給電されて車室内を空調すると共に、バッテリの温度を調整する車両用空気調和装置と、車両の走行並びに車両用空気調和装置の運転を制御する制御部を備えたものであって、制御部は、車両を始動したとき、バッテリの温度が所定の許容上限温度より高い場合は、車両用空気調和装置による車室内の空調を禁止し、当該車両用空気調和装置によりバッテリを冷却する始動時バッテリ温調制御を実行することを特徴とする。
【００１０】
請求項４の発明の車両用制御システムは、上記各発明において制御部は、始動時バッテリ温調制御においては、車両の走行も禁止することを特徴とする。
【００１１】
請求項５の発明の車両用制御システムは、上記各発明において制御部は、予め設定された所定のプレ空調開始予定時刻に車両を始動し、車両用空気調和装置による車室内の空調を開始するプレ空調機能を有すると共に、プレ空調開始予定時刻に車両を始動し、車両用空気調和装置による車室内の空調を開始するときにも、始動時バッテリ温調制御を実行することを特徴とする。
【００１２】
請求項６の発明の車両用制御システムは、上記各発明において制御部は、バッテリの温度が許容下限温度以上に上昇した場合、始動時バッテリ温調制御を終了して車両用空気調和装置による車室内の空調を許可し、又は、車両の走行並びに車両用空気調和装置による車室内の空調を許可すると共に、車両用空気調和装置によりバッテリの温度を許容下限温度以上に維持し、及び／又は、バッテリの温度が許容上限温度以下に低下した場合、始動時バッテリ温調制御を終了して車両用空気調和装置による車室内の空調を許可し、又は、車両の走行並びに車両用空気調和装置による車室内の空調を許可すると共に、車両用空気調和装置によりバッテリの温度を許容上限温度以下に維持することを特徴とする。
【００１３】
請求項７の発明の車両用制御システムは、上記各発明において車両用空気調和装置は、冷媒を圧縮する圧縮機と、冷媒を放熱させて車室内に供給する空気を加熱する放熱器と、冷媒を吸熱させて車室内に供給する空気を冷却する吸熱器と、車室外に設けられて冷媒を吸熱、又は、放熱させる室外熱交換器と、バッテリに熱媒体を循環させて当該バッテリの温度を調整するバッテリ温度調整装置を備え、このバッテリ温度調整装置は、冷媒と熱媒体とを熱交換させる冷媒−熱媒体熱交換器と、熱媒体を加熱する加熱装置を有すると共に、制御部は、バッテリ自体の温度、又は、熱媒体の温度をバッテリの温度として車両用空気調和装置の運転、又は、車両の走行並びに車両用空気調和装置の運転を制御することを特徴とする。
【発明の効果】
【００１４】
請求項１の発明によれば、バッテリから給電されて車室内を空調すると共に、バッテリの温度を調整する車両用空気調和装置と、車両の走行並びに車両用空気調和装置の運転を制御する制御部を備えた車両用制御システムにおいて、制御部が、車両を始動したとき、バッテリの温度が所定の許容下限温度より低い場合は、車両用空気調和装置による車室内の空調を禁止し、当該車両用空気調和装置によりバッテリを加熱する始動時バッテリ温調制御を実行するようにしたので、車両の始動時にバッテリの温度が低く、車室内の空調と走行に必要な動力が賄えなくなる状況下において、走行に影響を与えること無く、バッテリの劣化を防止することが可能となり、バッテリの耐久性の向上を図ることができるようになる。
【００１５】
この場合、制御部は車両用空気調和装置によりバッテリを加熱するので、早期にバッテリの温度を上昇させることができるようになる。これにより、車室内の空調も早期に開始することができるようになる。
【００１６】
また、請求項２又は請求項３の発明によれば、制御部が、始動時バッテリ温調制御において、バッテリの温度が所定の許容上限温度より高い場合、車両用空気調和装置による車室内の空調を禁止し、当該車両用空気調和装置によりバッテリを冷却するので、車両の始動時にバッテリの温度が高い場合にも、走行に影響を与えること無く、バッテリの劣化を防止し、バッテリの耐久性の向上を図ることができるようになる。
【００１７】
この場合、制御部は車両用空気調和装置によりバッテリを冷却するので、早期にバッテリの温度を低下させることができるようになる。これにより、係る場合にも車室内の空調を早期に開始することができるようになる。
【００１８】
尚、直ぐに車両を走行させる必要が無い場合には、請求項４の発明の如く制御部が、始動時バッテリ温調制御において、車両の走行も禁止するようにすれば、より一層バッテリの劣化を防止しながら、早期にバッテリの温度を上昇させ、及び／又は、低下させて、走行と車室内の空調を早期に可能とすることができるようになる。
【００１９】
また、請求項５の発明の如く制御部が、予め設定された所定のプレ空調開始予定時刻に車両を始動し、車両用空気調和装置による車室内の空調を開始するプレ空調機能を有する場合には、制御部が、プレ空調開始予定時刻に車両を始動し、車両用空気調和装置による車室内の空調を開始するときにも、始動時バッテリ温調制御を実行するようにすれば、車室内をプレ空調する際にも、バッテリの劣化を防止することができるようになる。
【００２０】
そして、請求項６の発明の如く制御部が、バッテリの温度が許容下限温度以上に上昇した場合、始動時バッテリ温調制御を終了して車両用空気調和装置による車室内の空調を許可し、又は、車両の走行並びに車両用空気調和装置による車室内の空調を許可すると共に、車両用空気調和装置によりバッテリの温度を許容下限温度以上に維持し、及び／又は、バッテリの温度が許容上限温度以下に低下した場合、始動時バッテリ温調制御を終了して車両用空気調和装置による車室内の空調を許可し、又は、車両の走行並びに車両用空気調和装置による車室内の空調を許可すると共に、車両用空気調和装置によりバッテリの温度を許容上限温度以下に維持することで、車室内の空調を行いながらバッテリの状態を良好に維持することができるようになる。
【００２１】
特に、請求項７の発明の如く車両用空気調和装置として、冷媒を圧縮する圧縮機と、冷媒を放熱させて車室内に供給する空気を加熱する放熱器と、冷媒を吸熱させて車室内に供給する空気を冷却する吸熱器と、車室外に設けられて冷媒を吸熱、又は、放熱させる室外熱交換器と、バッテリに熱媒体を循環させて当該バッテリの温度を調整するバッテリ温度調整装置を備え、このバッテリ温度調整装置が、冷媒と熱媒体とを熱交換させる冷媒−熱媒体熱交換器と、熱媒体を加熱する加熱装置を有すると共に、制御部が、バッテリ自体の温度、又は、熱媒体の温度をバッテリの温度として車両用空気調和装置の運転、又は、車両の走行並びに車両用空気調和装置の運転を制御するものを用いることで、上記各発明を円滑に実現することができるようになる。
【図面の簡単な説明】
【００２２】
【図１】本発明を適用した車両用制御システムの車両用空気調和装置の一実施例の構成図である。
【図２】図１の車両用制御システムの空調コントローラをメインとした制御部のブロック図である。
【図３】図２の空調コントローラによる暖房運転を説明する図である。
【図４】図２の空調コントローラによる除湿暖房運転を説明する図である。
【図５】図２の空調コントローラによる内部サイクル運転を説明する図である。
【図６】図２の空調コントローラによる除湿冷房運転／冷房運転を説明する図である。
【図７】図２の空調コントローラによる暖房／バッテリ温調モードを説明する図である。
【図８】図２の空調コントローラによる除湿冷房／バッテリ温調モード（冷房／バッテリ温調モード）を説明する図である。
【図９】図２の空調コントローラによる内部サイクル／バッテリ温調モードを説明する図である。
【図１０】図２の空調コントローラによる除湿暖房／バッテリ温調モードを説明する図である。
【図１１】図２の空調コントローラによるバッテリ温調単独モードを説明する図である（始動時バッテリ温調制御におけるバッテリ冷却モードも同じ）。
【図１２】図２の空調コントローラによる始動時バッテリ温調制御におけるバッテリ加熱モードを説明する図である。
【図１３】図１２の始動時バッテリ温調制御におけるバッテリ加熱モードでのバッテリ温度と熱媒体加熱ヒータの出力の推移を示す図である。
【発明を実施するための形態】
【００２３】
以下、本発明の実施の形態について、図面に基づき詳細に説明する。図１は本発明を適用した車両用制御システムＶＣを構成する一実施例の車両用空気調和装置１の構成図を示している。本発明の車両用制御システムＶＣを適用する実施例の車両は、エンジン（内燃機関）が搭載されていない電気自動車（ＥＶ）であって、車両にバッテリ５５（例えば、リチウム電池）が搭載され、急速充電器や家庭用商用電源（普通充電）等の外部電源からバッテリ５５に充電された電力を走行用の電動モータ６５に供給することで駆動し、走行するものである。また、車両に搭載された車両用空気調和装置１も、バッテリ５５から給電されて駆動されるものである。
【００２４】
即ち、車両用空気調和装置１は、エンジン廃熱による暖房ができない電気自動車において、冷媒回路Ｒを用いたヒートポンプ運転により暖房運転を行い、更に、除湿暖房運転や内部サイクル運転、除湿冷房運転、冷房運転の各空調運転を選択的に実行することで車室内の空調を行うものである。
【００２５】
尚、車両として電気自動車に限らず、エンジンと走行用の電動モータを供用する所謂ハイブリッド自動車にも本発明が有効であることは云うまでもない。
【００２６】
実施例の車両用空気調和装置１は、電気自動車の車室内の空調（暖房、冷房、除湿、及び、換気）を行うものであり、冷媒を圧縮する電動式の圧縮機２と、車室内空気が通気循環されるＨＶＡＣユニット１０の空気流通路３内に設けられ、圧縮機２から吐出された高温高圧の冷媒が冷媒配管１３Ｇを介して流入し、この冷媒を車室内に放熱させる放熱器４と、暖房時に冷媒を減圧膨張させる電動弁から成る室外膨張弁６と、冷房時には冷媒を放熱させる放熱器として機能し、暖房時には冷媒を吸熱させる蒸発器として機能すべく冷媒と外気との間で熱交換を行わせる室外熱交換器７と、冷媒を減圧膨張させる電動弁から成る室内膨張弁８と、空気流通路３内に設けられて冷房時及び除湿時に車室内外から冷媒に吸熱させる吸熱器９と、アキュムレータ１２等が冷媒配管１３により順次接続され、冷媒回路Ｒが構成されている。室外膨張弁６や室内膨張弁８は、冷媒を減圧膨張させると共に全開や全閉も可能とされている。
【００２７】
尚、室外熱交換器７には、室外送風機１５が設けられている。この室外送風機１５は、室外熱交換器７に外気を強制的に通風することにより、外気と冷媒とを熱交換させるものであり、これにより停車中（即ち、車速が０ｋｍ／ｈ）にも室外熱交換器７に外気が通風されるよう構成されている。また、図中の２３はグリルシャッタと称されるシャッタである。このシャッタ２３が閉じられると、走行風が室外熱交換器７に流入することが阻止される構成とされている。
【００２８】
また、室外熱交換器７の冷媒出口側に接続された冷媒配管１３Ａは、逆止弁１８を介して冷媒配管１３Ｂに接続されている。尚、逆止弁１８は冷媒配管１３Ｂ側が順方向とされ、この冷媒配管１３Ｂは室内膨張弁８に接続されている。
【００２９】
また、室外熱交換器７から出た冷媒配管１３Ａは分岐しており、この分岐した冷媒配管１３Ｄは、暖房時に開放される電磁弁２１を介して吸熱器９の出口側に位置する冷媒配管１３Ｃに連通接続されている。そして、この冷媒配管１３Ｃがアキュムレータ１２に接続され、アキュムレータ１２は圧縮機２の冷媒吸込側に接続されている。
【００３０】
更に、放熱器４の出口側の冷媒配管１３Ｅは室外膨張弁６の手前（冷媒上流側）で冷媒配管１３Ｊと冷媒配管１３Ｆに分岐しており、分岐した一方の冷媒配管１３Ｊが室外膨張弁６を介して室外熱交換器７の冷媒入口側に接続されている。また、分岐した他方の冷媒配管１３Ｆは除湿時に開放される電磁弁２２を介して逆止弁１８の冷媒下流側であって、室内膨張弁８の冷媒上流側に位置する冷媒配管１３Ａと冷媒配管１３Ｂとの接続部に連通接続されている。
【００３１】
これにより、冷媒配管１３Ｆは室外膨張弁６、室外熱交換器７及び逆止弁１８の直列回路に対して並列に接続されたかたちとなり、室外膨張弁６、室外熱交換器７及び逆止弁１８をバイパスする回路となる。
【００３２】
また、吸熱器９の空気上流側における空気流通路３には、外気吸込口と内気吸込口の各吸込口が形成されており（図１では吸込口２５で代表して示す）、この吸込口２５には空気流通路３内に導入する空気を車室内の空気である内気（内気循環）と、車室外の空気である外気（外気導入）とに切り換える吸込切換ダンパ２６が設けられている。更に、この吸込切換ダンパ２６の空気下流側には、導入した内気や外気を空気流通路３に送給するための室内送風機（ブロワファン）２７が設けられている。
【００３３】
また、放熱器４の空気上流側における空気流通路３内には、当該空気流通路３内に流入し、吸熱器９を通過した後の空気流通路３内の空気（内気や外気）を放熱器４に通風する割合を調整するエアミックスダンパ２８が設けられている。更に、放熱器４の空気下流側における空気流通路３には、ＦＯＯＴ（フット）、ＶＥＮＴ（ベント）、ＤＥＦ（デフ）の各吹出口（図１では代表して吹出口２９で示す）が形成されており、この吹出口２９には上記各吹出口から空気の吹き出しを切換制御する吹出口切換ダンパ３１が設けられている。
【００３４】
更に、車両用空気調和装置１は、バッテリ５５に熱媒体を循環させて当該バッテリ５５の温度を調整するためのバッテリ温度調整装置６１を備えている。実施例のバッテリ温度調整装置６１は、バッテリ５５に熱媒体を循環させるための循環装置としての循環ポンプ６２と、加熱装置としての熱媒体加熱ヒータ６６と、冷媒−熱媒体熱交換器６４を備え、それらとバッテリ５５が熱媒体配管６８にて環状に接続されている。
【００３５】
この実施例の場合、循環ポンプ６２の吐出側に熱媒体加熱ヒータ６６が接続され、熱媒体加熱ヒータ６６の出口に冷媒−熱媒体熱交換器６４の熱媒体流路６４Ａの入口が接続され、この熱媒体流路６４Ａの出口にバッテリ５５の入口が接続され、バッテリ５５の出口が循環ポンプ６２の吸込側に接続されている。
【００３６】
このバッテリ温度調整装置６１で使用される熱媒体としては、例えば水、ＨＦＯ−１２３４ｙｆのような冷媒、クーラント等の液体、空気等の気体が採用可能である。尚、実施例では水を熱媒体として採用している。また、熱媒体加熱ヒータ６６はＰＴＣヒータ等の電気ヒータから構成されている。更に、バッテリ５５の周囲には例えば熱媒体が当該バッテリ５５と熱交換関係で流通可能なジャケット構造が施されているものとする。
【００３７】
そして、循環ポンプ６２が運転されると、循環ポンプ６２から吐出された熱媒体は熱媒体加熱ヒータ６６に至り、熱媒体加熱ヒータ６６が発熱されている場合にはそこで加熱された後、次に冷媒−熱媒体熱交換器６４の熱媒体流路６４Ａに流入する。この冷媒−熱媒体熱交換器６４の熱媒体流路６４Ａを出た熱媒体はバッテリ５５に至る。熱媒体はそこでバッテリ５５と熱交換した後、循環ポンプ６２に吸い込まれることで熱媒体配管６８内を循環される。
【００３８】
一方、冷媒回路Ｒの冷媒配管１３Ｆの出口、即ち、冷媒配管１３Ｆと冷媒配管１３Ａ及び冷媒配管１３Ｂとの接続部には、逆止弁１８の冷媒下流側（順方向側）であって、室内膨張弁８の冷媒上流側に位置して分岐回路としての分岐配管７２の一端が接続されている。この分岐配管７２には電動弁から構成された補助膨張弁７３が設けられている。この補助膨張弁７３は冷媒−熱媒体熱交換器６４の後述する冷媒流路６４Ｂに流入する冷媒を減圧膨張させると共に全閉も可能とされている。
【００３９】
そして、分岐配管７２の他端は冷媒−熱媒体熱交換器６４の冷媒流路６４Ｂに接続されており、この冷媒流路６４Ｂの出口には冷媒配管７４の一端が接続され、冷媒配管７４の他端はアキュムレータ１２の手前（冷媒上流側）の冷媒配管１３Ｃに接続されている。そして、これら補助膨張弁７３等も冷媒回路Ｒの一部を構成すると同時に、バッテリ温度調整装置６１の一部をも構成することになる。
【００４０】
補助膨張弁７３が開いている場合、冷媒配管１３Ｆや室外熱交換器７から出た冷媒（一部又は全ての冷媒）はこの補助膨張弁７３で減圧された後、冷媒−熱媒体熱交換器６４の冷媒流路６４Ｂに流入し、そこで蒸発する。冷媒は冷媒流路６４Ｂを流れる過程で熱媒体流路６４Ａを流れる熱媒体から吸熱した後、アキュムレータ１２を経て圧縮機２に吸い込まれることになる。
【００４１】
次に、図２において３０は本発明の車両用制御システムＶＣの制御部であり、この制御部３０は、主として車両用空気調和装置１の制御を司る空調コントローラ３２と、車両全般の制御を司る車両コントローラ３５（ＥＣＵ）と、バッテリ５５の充放電の制御を司るバッテリコントローラ４０を備えて構成されており、これらが車両通信バス４５を介して接続され、情報の送受信を行う構成とされている。前記空調コントローラ３２、車両コントローラ３５（ＥＣＵ）、バッテリコントローラ４０は何れもプロセッサを備えたコンピュータの一例としてのマイクロコンピュータから構成されている。
【００４２】
空調コントローラ３２の入力には車両の外気温度（Ｔａｍ）を検出する外気温度センサ３３と、外気湿度を検出する外気湿度センサ３４と、吸込口２５から空気流通路３に吸い込まれる空気の温度を検出するＨＶＡＣ吸込温度センサ３６と、車室内の空気（内気）の温度を検出する内気温度センサ３７と、車室内の空気の湿度を検出する内気湿度センサ３８と、車室内の二酸化炭素濃度を検出する室内ＣＯ2濃度センサ３９と、吹出口２９から車室内に吹き出される空気の温度を検出する吹出温度センサ４１と、圧縮機２の吐出冷媒圧力（吐出圧力Ｐｄ）を検出する吐出圧力センサ４２と、圧縮機２の吐出冷媒温度を検出する吐出温度センサ４３と、圧縮機２の吸込冷媒温度を検出する吸込温度センサ４４と、放熱器４の温度（放熱器４を経た空気の温度、又は、放熱器４自体の温度：放熱器温度ＴＣＩ）を検出する放熱器温度センサ４６と、放熱器４の冷媒圧力（放熱器４内、又は、放熱器４を出た直後の冷媒の圧力：放熱器圧力ＰＣＩ）を検出する放熱器圧力センサ４７と、吸熱器９の温度（吸熱器９を経た空気の温度、又は、吸熱器９自体の温度：吸熱器温度Ｔｅ）を検出する吸熱器温度センサ４８と、吸熱器９の冷媒圧力（吸熱器９内、又は、吸熱器９を出た直後の冷媒の圧力）を検出する吸熱器圧力センサ４９と、車室内への日射量を検出するための例えばフォトセンサ式の日射センサ５１と、車両の移動速度（車速）を検出するための車速センサ５２と、設定温度や空調運転の切り換えを設定するための空調操作部５３と、室外熱交換器７の温度（室外熱交換器７から出た直後の冷媒の温度、又は、室外熱交換器７自体の温度：室外熱交換器温度ＴＸＯ。室外熱交換器７が蒸発器として機能するとき、室外熱交換器温度ＴＸＯは室外熱交換器７における冷媒の蒸発温度となる）を検出する室外熱交換器温度センサ５４と、室外熱交換器７の冷媒圧力（室外熱交換器７内、又は、室外熱交換器７から出た直後の冷媒の圧力）を検出する室外熱交換器圧力センサ５６の各出力が接続されている。
【００４３】
また、空調コントローラ３２の入力には更に、バッテリ５５の温度（バッテリ５５自体の温度、又は、バッテリ５５を出た熱媒体の温度、或いは、バッテリ５５に入る熱媒体の温度：バッテリ温度Ｔｂ）を検出するバッテリ温度センサ７６と、熱媒体加熱ヒータ６６の温度（熱媒体加熱ヒータ６６自体の温度、熱媒体加熱ヒータ６６を出た熱媒体の温度）を検出する熱媒体加熱ヒータ温度センサ７７と、冷媒−熱媒体熱交換器６４の熱媒体流路６４Ａを出た熱媒体の温度を検出する第１出口温度センサ７８と、冷媒流路６４Ｂを出た冷媒の温度を検出する第２の出口温度センサ７９の各出力も接続されている。
【００４４】
一方、空調コントローラ３２の出力には、前記圧縮機２と、室外送風機１５と、室内送風機（ブロワファン）２７と、吸込切換ダンパ２６と、エアミックスダンパ２８と、吹出口切換ダンパ３１と、室外膨張弁６、室内膨張弁８と、電磁弁２２（除湿）、電磁弁２１（暖房）の各電磁弁と、シャッタ２３、循環ポンプ６２、熱媒体加熱ヒータ６６、補助膨張弁７３が接続されている。更に、空調コントローラ３２の出力には、後述する第１スイッチ（接点）８１と第２スイッチ（接点）８２も接続され、空調コントローラ３２によりそれらのスイッチ８１、８２は開閉制御されるように構成されている。そして、空調コントローラ３２は各センサの出力と空調操作部５３にて入力された設定、車両コントローラ３５やバッテリコントローラ４０からの情報に基づいてこれらを制御するものである。
【００４５】
前記車両コントローラ３５は、車両（実施例では電気自動車）の走行を含む全般の制御を司るものであり、この車両コントローラ３５の出力に走行用の電動モータ６５が接続されている。尚、外部電源（急速充電器等）に接続される充電用のプラグ６０は接点を有しており、プラグ６０が外部電源に接続された場合、この接点の状態が変化し、変化した旨の接点情報は車両コントローラ３５に送信される構成とされている。車両コントローラ３５はこの接点情報からプラグ６０が外部電源に接続されたことを検出すると共に、その旨の情報を空調コントローラ３２やバッテリコントローラ４０にも送信する。
【００４６】
前記バッテリコントローラ４０には充電時に外部電源に接続される前述したプラグ６０が接続されており、このバッテリコントローラ４０はバッテリ５５への外部電源からの充電やバッテリ５５からの放電を制御する。実施例のバッテリコントローラ４０は車両コントローラ３５や空調コントローラ３２から送信される情報に基づいてバッテリ５５の充放電を制御すると共に、バッテリ５５に残存する充電量（残存充電量）に関する情報を車両コントローラ３５や空調コントローラ３２に送信する。
【００４７】
尚、実施例ではバッテリ５５からの電気配線８３が前述した第１スイッチ８１を介して圧縮機２を含む冷媒回路Ｒ側の電気機器に電気的に接続されており、この第１スイッチ８１が閉じられて、バッテリ５５から圧縮機２等に給電可能な状態となる。また、第１スイッチ８１とバッテリ５５の間の電気配線８３からは更に電気配線８４が分岐しており、この電気配線８４が前述した第２スイッチ８２を介して熱媒体加熱ヒータ６６を含むバッテリ温度調整装置６１の電気機器に電気的に接続されている。そして、この第２スイッチ８２が閉じられて、バッテリ５５から熱媒体加熱ヒータ６６等に給電可能となる構成とされている（図１）。但し、圧縮機２や熱媒体加熱ヒータ６６等の各電気機器のそれぞれの運転／通電制御は、制御部３０の空調コントローラ３２等により個々に行われることになる。
【００４８】
以上の構成で、次に実施例の車両用制御システムＶＣの車両用空気調和装置１の動作について説明する。空調コントローラ３２は実施例では暖房運転と、除湿暖房運転と、内部サイクル運転と、除湿冷房運転と、冷房運転の各空調運転を切り換えて実行すると共に、バッテリ５５の温度を所定の適温範囲内に調整する。先ず、車両の運転中における車両用空気調和装置１の冷媒回路Ｒの各空調運転について説明する。
【００４９】
（１）暖房運転
最初に、図３を参照しながら暖房運転について説明する。図３は暖房運転における冷媒回路Ｒの冷媒の流れ（実線矢印）を示している。尚、空調コントローラ３２は第１スイッチ８１を閉じ、第２スイッチ８２を開く。これにより、車両用空気調和装置１の圧縮機２を含む冷媒回路Ｒの電気機器には、バッテリ５５から電気配線８３を介して給電可能とされる（図４〜図６も同じ）。
【００５０】
空調コントローラ３２により（オートモード）、或いは、空調操作部５３へのマニュアル操作（マニュアルモード）により暖房運転が選択されると、空調コントローラ３２は電磁弁２１（暖房用）を開放し、室内膨張弁８を全閉とする。また、電磁弁２２（除湿用）を閉じる。尚、シャッタ２３は開放する。
【００５１】
そして、圧縮機２、及び、各送風機１５、２７を運転し、エアミックスダンパ２８は室内送風機２７から吹き出された空気が放熱器４に通風される割合を調整する状態とする。これにより、圧縮機２から吐出された高温高圧のガス冷媒は放熱器４に流入する。放熱器４には空気流通路３内の空気が通風されるので、空気流通路３内の空気は放熱器４内の高温冷媒により加熱され、一方、放熱器４内の冷媒は空気に熱を奪われて冷却され、凝縮液化する。
【００５２】
放熱器４内で液化した冷媒は放熱器４を出た後、冷媒配管１３Ｅ、１３Ｊを経て室外膨張弁６に至る。室外膨張弁６に流入した冷媒はそこで減圧された後、室外熱交換器７に流入する。室外熱交換器７に流入した冷媒は蒸発し、走行により、或いは、室外送風機１５にて通風される外気中から熱を汲み上げる（吸熱）。即ち、冷媒回路Ｒがヒートポンプとなる。そして、室外熱交換器７を出た低温の冷媒は冷媒配管１３Ａ及び冷媒配管１３Ｄ、電磁弁２１を経て冷媒配管１３Ｃからアキュムレータ１２に入り、そこで気液分離された後、ガス冷媒が圧縮機２に吸い込まれる循環を繰り返す。放熱器４にて加熱された空気は吹出口２９から吹き出されるので、これにより車室内の暖房が行われることになる。
【００５３】
空調コントローラ３２は、後述する目標吹出温度ＴＡＯから算出される目標ヒータ温度ＴＣＯ（放熱器４の風下側の空気温度の目標値）から目標放熱器圧力ＰＣＯ（放熱器４の圧力ＰＣＩの目標値）を算出し、この目標放熱器圧力ＰＣＯと、放熱器圧力センサ４７が検出する放熱器４の冷媒圧力（放熱器圧力ＰＣＩ。冷媒回路Ｒの高圧圧力）に基づいて圧縮機２の回転数を制御すると共に、放熱器温度センサ４６が検出する放熱器４の温度（放熱器温度ＴＣＩ）及び放熱器圧力センサ４７が検出する放熱器圧力ＰＣＩに基づいて室外膨張弁６の弁開度を制御し、放熱器４の出口における冷媒の過冷却度を制御する。前記目標ヒータ温度ＴＣＯは基本的にはＴＣＯ＝ＴＡＯとされるが、制御上の所定の制限が設けられる。
【００５４】
（２）除湿暖房運転
次に、図４を参照しながら除湿暖房運転について説明する。図４は除湿暖房運転における冷媒回路Ｒの冷媒の流れ（実線矢印）を示している。除湿暖房運転では、空調コントローラ３２は上記暖房運転の状態において電磁弁２２を開放し、室内膨張弁８を開いて冷媒を減圧膨張させる状態とする。また、シャッタ２３は開放する。これにより、放熱器４を経て冷媒配管１３Ｅを流れる凝縮冷媒の一部が分流され、この分流された冷媒が電磁弁２２を経て冷媒配管１３Ｆに流入し、冷媒配管１３Ｂから室内膨張弁８に流れ、残りの冷媒が室外膨張弁６に流れるようになる。即ち、分流された一部の冷媒が室内膨張弁８にて減圧された後、吸熱器９に流入して蒸発する。
【００５５】
空調コントローラ３２は吸熱器９の出口における冷媒の過熱度（ＳＨ）を所定値に維持するように室内膨張弁８の弁開度を制御するが、このときに吸熱器９で生じる冷媒の吸熱作用で室内送風機２７から吹き出された空気中の水分が吸熱器９に凝結して付着するので、空気は冷却され、且つ、除湿される。分流されて冷媒配管１３Ｊに流入した残りの冷媒は、室外膨張弁６で減圧された後、室外熱交換器７で蒸発することになる。
【００５６】
吸熱器９で蒸発した冷媒は、冷媒配管１３Ｃに出て冷媒配管１３Ｄからの冷媒（室外熱交換器７からの冷媒）と合流した後、アキュムレータ１２を経て圧縮機２に吸い込まれる循環を繰り返す。吸熱器９にて除湿された空気は放熱器４を通過する過程で再加熱されるので、これにより車室内の除湿暖房が行われることになる。
【００５７】
空調コントローラ３２は目標ヒータ温度ＴＣＯから算出される目標放熱器圧力ＰＣＯと放熱器圧力センサ４７が検出する放熱器圧力ＰＣＩ（冷媒回路Ｒの高圧圧力）に基づいて圧縮機２の回転数を制御すると共に、吸熱器温度センサ４８が検出する吸熱器９の温度（吸熱器温度Ｔｅ）に基づいて室外膨張弁６の弁開度を制御する。
【００５８】
（３）内部サイクル運転
次に、図５を参照しながら内部サイクル運転について説明する。図５は内部サイクル運転における冷媒回路Ｒの冷媒の流れ（実線矢印）を示している。内部サイクル運転では、空調コントローラ３２は上記除湿暖房運転の状態において室外膨張弁６を全閉とする（全閉位置）。但し、電磁弁２１は開いた状態を維持し、室外熱交換器７の冷媒出口は圧縮機２の冷媒吸込側に連通させておく。即ち、この内部サイクル運転は除湿暖房運転における室外膨張弁６の制御で当該室外膨張弁６を全閉とした状態であるので、この内部サイクル運転も除湿暖房運転の一部と捉えることができる（シャッタ２３は開）。
【００５９】
但し、室外膨張弁６が閉じられることにより、室外熱交換器７への冷媒の流入は阻止されることになるので、放熱器４を経て冷媒配管１３Ｅを流れる凝縮冷媒は電磁弁２２を経て冷媒配管１３Ｆに全て流れるようになる。そして、冷媒配管１３Ｆを流れる冷媒は冷媒配管１３Ｂを経て室内膨張弁８に至る。室内膨張弁８にて冷媒は減圧された後、吸熱器９に流入して蒸発する。このときの吸熱作用で室内送風機２７から吹き出された空気中の水分が吸熱器９に凝結して付着するので、空気は冷却され、且つ、除湿される。
【００６０】
吸熱器９で蒸発した冷媒は冷媒配管１３Ｃを流れ、アキュムレータ１２を経て圧縮機２に吸い込まれる循環を繰り返す。吸熱器９にて除湿された空気は放熱器４を通過する過程で再加熱されるので、これにより、車室内の除湿暖房が行われることになるが、この内部サイクル運転では室内側の空気流通路３内にある放熱器４（放熱）と吸熱器９（吸熱）の間で冷媒が循環されることになるので、外気からの熱の汲み上げは行われず、圧縮機２の消費動力分の暖房能力が発揮される。除湿作用を発揮する吸熱器９には冷媒の全量が流れるので、上記除湿暖房運転に比較すると除湿能力は高いが、暖房能力は低くなる。
【００６１】
また、室外膨張弁６は閉じられるものの、電磁弁２１は開いており、室外熱交換器７の冷媒出口は圧縮機２の冷媒吸込側に連通しているので、室外熱交換器７内の液冷媒は冷媒配管１３Ｄ及び電磁弁２１を経て冷媒配管１３Ｃに流出し、アキュムレータ１２に回収され、室外熱交換器７内はガス冷媒の状態となる。これにより、電磁弁２１を閉じたときに比して、冷媒回路Ｒ内を循環する冷媒量が増え、放熱器４における暖房能力と吸熱器９における除湿能力を向上させることができるようになる。
【００６２】
空調コントローラ３２は吸熱器９の温度、又は、前述した放熱器圧力ＰＣＩ（冷媒回路Ｒの高圧圧力）に基づいて圧縮機２の回転数を制御する。このとき、空調コントローラ３２は吸熱器９の温度によるか放熱器圧力ＰＣＩによるか、何れかの演算から得られる圧縮機目標回転数の低い方を選択して圧縮機２を制御する。
【００６３】
（４）除湿冷房運転
次に、図６を参照しながら除湿冷房運転について説明する。図６は除湿冷房運転における冷媒回路Ｒの冷媒の流れ（実線矢印）を示している。除湿冷房運転では、空調コントローラ３２は室内膨張弁８を開いて冷媒を減圧膨張させる状態とし、電磁弁２１と電磁弁２２を閉じる。そして、圧縮機２、及び、各送風機１５、２７を運転し、エアミックスダンパ２８は室内送風機２７から吹き出された空気が放熱器４に通風される割合を調整する状態とする。また、シャッタ２３は開放する。これにより、圧縮機２から吐出された高温高圧のガス冷媒は放熱器４に流入する。放熱器４には空気流通路３内の空気が通風されるので、空気流通路３内の空気は放熱器４内の高温冷媒により加熱され、一方、放熱器４内の冷媒は空気に熱を奪われて冷却され、凝縮液化していく。
【００６４】
放熱器４を出た冷媒は冷媒配管１３Ｅを経て室外膨張弁６に至り、開き気味で制御される室外膨張弁６を経て室外熱交換器７に流入する。室外熱交換器７に流入した冷媒はそこで走行により、或いは、室外送風機１５にて通風される外気により空冷され、凝縮する。室外熱交換器７を出た冷媒は冷媒配管１３Ａ、逆止弁１８を経て冷媒配管１３Ｂに入り、室内膨張弁８に至る。室内膨張弁８にて冷媒は減圧された後、吸熱器９に流入して蒸発する。このときの吸熱作用で室内送風機２７から吹き出された空気中の水分が吸熱器９に凝結して付着するので、空気は冷却され、且つ、除湿される。
【００６５】
吸熱器９で蒸発した冷媒は冷媒配管１３Ｃを経てアキュムレータ１２に至り、そこを経て圧縮機２に吸い込まれる循環を繰り返す。吸熱器９にて冷却され、除湿された空気は放熱器４を通過する過程でリヒート（再加熱：暖房時よりも放熱能力は低い）されるので、これにより車室内の除湿冷房が行われることになる。
【００６６】
空調コントローラ３２は吸熱器温度センサ４８が検出する吸熱器９の温度（吸熱器温度Ｔｅ）とその目標値である目標吸熱器温度ＴＥＯに基づき、吸熱器温度Ｔｅを目標吸熱器温度ＴＥＯにするように圧縮機２の回転数を制御すると共に、放熱器圧力センサ４７が検出する放熱器圧力ＰＣＩ（冷媒回路Ｒの高圧圧力）と目標ヒータ温度ＴＣＯから算出される目標放熱器圧力ＰＣＯ（放熱器圧力ＰＣＩの目標値）に基づき、放熱器圧力ＰＣＩを目標放熱器圧力ＰＣＯにするように室外膨張弁６の弁開度を制御することで放熱器４による必要なリヒート量を得る。
【００６７】
（５）冷房運転
次に、冷房運転について説明する。冷媒回路Ｒの流れは図６の除湿冷房運転と同様である。冷房運転では、空調コントローラ３２は上記除湿冷房運転の状態において室外膨張弁６の弁開度を全開とする。尚、エアミックスダンパ２８は放熱器４に空気が通風される割合を調整する状態とする。また、シャッタ２３は開放する。
【００６８】
これにより、圧縮機２から吐出された高温高圧のガス冷媒は放熱器４に流入する。放熱器４には空気流通路３内の空気は通風されるものの、その割合は小さくなるので（冷房時のリヒートのみのため）、ここは殆ど通過するのみとなり、放熱器４を出た冷媒は冷媒配管１３Ｅを経て室外膨張弁６に至る。このとき室外膨張弁６は全開とされているので冷媒はそのまま室外膨張弁６を経て冷媒配管１３Ｊを通過し、室外熱交換器７に流入し、そこで走行により、或いは、室外送風機１５にて通風される外気により空冷され、凝縮液化する。室外熱交換器７を出た冷媒は冷媒配管１３Ａ、逆止弁１８を経て冷媒配管１３Ｂに入り、室内膨張弁８に至る。室内膨張弁８にて冷媒は減圧された後、吸熱器９に流入して蒸発する。このときの吸熱作用で室内送風機２７から吹き出された空気中の水分が吸熱器９に凝結して付着し、空気は冷却される。
【００６９】
吸熱器９で蒸発した冷媒は冷媒配管１３Ｃを経てアキュムレータ１２に至り、そこを経て圧縮機２に吸い込まれる循環を繰り返す。吸熱器９にて冷却され、除湿された空気は吹出口２９から車室内に吹き出されるので、これにより車室内の冷房が行われることになる。この冷房運転においては、空調コントローラ３２は吸熱器温度センサ４８が検出する吸熱器９の温度（吸熱器温度Ｔｅ）に基づいて圧縮機２の回転数を制御する。
【００７０】
（６）空調運転の切り換え
空調コントローラ３２は下記式（Ｉ）から前述した目標吹出温度ＴＡＯを算出する。この目標吹出温度ＴＡＯは、吹出口２９から車室内に吹き出される空気の温度の目標値である。
ＴＡＯ＝（Ｔｓｅｔ−Ｔｉｎ）×Ｋ＋Ｔｂａｌ（ｆ（Ｔｓｅｔ、ＳＵＮ、Ｔａｍ））
・・（Ｉ）
ここで、Ｔｓｅｔは空調操作部５３で設定された車室内の設定温度、Ｔｉｎは内気温度センサ３７が検出する車室内空気の温度、Ｋは係数、Ｔｂａｌは設定温度Ｔｓｅｔや、日射センサ５１が検出する日射量ＳＵＮ、外気温度センサ３３が検出する外気温度Ｔａｍから算出されるバランス値である。そして、一般的に、この目標吹出温度ＴＡＯは外気温度Ｔａｍが低い程高く、外気温度Ｔａｍが上昇するに伴って低下する。
【００７１】
そして、空調コントローラ３２は起動時には外気温度センサ３３が検出する外気温度Ｔａｍと目標吹出温度ＴＡＯとに基づいて上記各空調運転のうちの何れかの空調運転を選択する。また、起動後は外気温度Ｔａｍや目標吹出温度ＴＡＯ等の環境や設定条件の変化に応じて前記各空調運転を選択し、切り換えていくものである。
【００７２】
（７）バッテリ５５の温度調整
次に、図７〜図１１を参照しながら空調コントローラ３２によるバッテリ５５の温度調整制御について説明する。ここで、バッテリ５５は外気温度により温度が変化すると共に、自己発熱によっても温度が変化する。そして、外気温度が高温環境であるときや極低温環境であるときには、バッテリ５５の温度が極めて高くなり、或いは、極めて低くなって、充放電が困難となる。
【００７３】
そこで、実施例の車両用空気調和装置１の空調コントローラ３２は、上記の如き空調運転を実行しながら、バッテリ温度調整装置６１により、バッテリ５５の温度を所定の適温範囲内（使用温度範囲内）に調整する。このバッテリ５５の適温範囲は一般的に知られているものであるが、この出願では０℃以上＋４０℃以下とする。また、実施例ではこの適温範囲の下限値である０℃を所定の許容下限温度ＴＬとし、＋４０℃を所定の許容上限温度ＴＨとする。そして、実施例ではこの適温範囲内にバッテリ温度センサ７６が検出するバッテリ５５の温度（バッテリ温度Ｔｂ）の目標値である目標バッテリ温度ＴＢＯ（例えば、＋１５℃）を設定するものとする。
【００７４】
（７−１）暖房／バッテリ温調モード
前述した暖房運転においてバッテリ５５の温度を調整することが必要となった場合、空調コントローラ３２は暖房／バッテリ温調モードを実行する。図７はこの暖房／バッテリ温調モードにおける冷媒回路Ｒの冷媒の流れ（実線矢印）とバッテリ温度調整装置６１の熱媒体の流れ（破線矢印）を示している。尚、空調コントローラ３２は第１スイッチ８１及び第２スイッチ８２を閉じる。これにより、車両用空気調和装置１の圧縮機２を含む冷媒回路Ｒの電気機器と、熱媒体加熱ヒータ６６を含むバッテリ温度調整装置６１の電気機器には、バッテリ５５から電気配線８３及び８４を介して給電可能とされる（図７〜図１１も同じ）。
【００７５】
この暖房／バッテリ温調モードでは、空調コントローラ３２は図３に示した冷媒回路Ｒの暖房運転の状態で、更に電磁弁２２を開き、補助膨張弁７３も開いてその弁開度を制御する状態とする。そして、バッテリ温度調整装置６１の循環ポンプ６２を運転する。これにより、放熱器４から出た冷媒の一部が室外膨張弁６の冷媒上流側で分流され、冷媒配管１３Ｆを経て室内膨張弁８の冷媒上流側に至る。冷媒は次に分岐配管７２に入り、補助膨張弁７３で減圧された後、分岐配管７２を経て冷媒−熱媒体熱交換器６４の冷媒流路６４Ｂに流入して蒸発する。このときに吸熱作用を発揮する。この冷媒流路６４Ｂで蒸発した冷媒は、冷媒配管７４、冷媒配管１３Ｃ及びアキュムレータ１２を順次経て圧縮機２に吸い込まれる循環を繰り返す（図７に実線矢印で示す）。
【００７６】
一方、循環ポンプ６２から吐出された熱媒体は熱媒体加熱ヒータ６６に至り、そこで加熱された後（熱媒体加熱ヒータ６６が発熱している場合）、熱媒体配管６８内を冷媒−熱媒体熱交換器６４の熱媒体流路６４Ａに至り、そこで冷媒流路６４Ｂ内で蒸発する冷媒により吸熱され、熱媒体は冷却される。熱媒体加熱ヒータ６６で加熱され、及び／又は、冷媒の吸熱作用で冷却された熱媒体は、冷媒−熱媒体熱交換器６４を出てバッテリ５５に至り、当該バッテリ５５と熱交換した後、循環ポンプ６２に吸い込まれる循環を繰り返す（図７に破線矢印で示す）。
【００７７】
空調コントローラ３２は、例えば常時冷媒−熱媒体熱交換器６４の冷媒流路６４Ｂに冷媒を流し、熱媒体を常時冷却しながら、バッテリ温度センサ７６が検出するバッテリ温度Ｔｂと目標バッテリ温度ＴＢＯに基づいて熱媒体加熱ヒータ６６の発熱を制御することで、バッテリ温度Ｔｂが目標バッテリ温度ＴＢＯとなるようにする（その場合には、実際には暖房運転に代えて、暖房／バッテリ温調モードを常時実行するか、暖房運転と暖房／バッテリ温調モードを切り換えて実行することになる）。或いは、暖房運転中にバッテリ温度Ｔｂ＞目標バッテリ温度ＴＢＯ＋αとなった場合に、暖房運転から暖房／バッテリ温調モードに移行し、補助膨張弁７３を制御してバッテリ温度Ｔｂを低下させ、バッテリ温度Ｔｂ＜目標バッテリ温度ＴＢＯ−αとなった場合にも暖房運転から暖房／バッテリ温調モードに移行し、熱媒体加熱ヒータ６６を発熱させてバッテリ温度Ｔｂを上昇させることで、バッテリ温度Ｔｂが目標バッテリ温度ＴＢＯとなるようにする。以上のようにして空調コントローラ３２は、バッテリ５５の温度Ｔｂを適温範囲内である目標バッテリ温度ＴＢＯに調整するものである。
【００７８】
（７−２）冷房／バッテリ温調モード
次に、前述した冷房運転においてバッテリ５５の温度を調整することが必要となった場合、空調コントローラ３２は冷房／バッテリ温調モードを実行する。図８はこの冷房／バッテリ温調モードにおける冷媒回路Ｒの冷媒の流れ（実線矢印）とバッテリ温度調整装置６１の熱媒体の流れ（破線矢印）を示している。
【００７９】
この冷房／バッテリ温調モードでは、空調コントローラ３２は前述した図６の冷房運転の冷媒回路Ｒの状態において、補助膨張弁７３を開いてその弁開度を制御し、バッテリ温度調整装置６１の循環ポンプ６２も運転して、冷媒−熱媒体熱交換器６４において冷媒と熱媒体とを熱交換させる状態とする。
【００８０】
これにより、圧縮機２から吐出された高温の冷媒は、放熱器４を経て室外熱交換器７に流入し、そこで室外送風機１５により通風される外気や走行風と熱交換して放熱し、凝縮する。室外熱交換器７で凝縮した冷媒の一部は室内膨張弁８に至り、そこで減圧された後、吸熱器９に流入して蒸発する。このときの吸熱作用で空気流通路３内の空気が冷却されるので、車室内は冷房される。
【００８１】
室外熱交換器７で凝縮した冷媒の残りは分岐配管７２に分流され、補助膨張弁７３で減圧された後、冷媒−熱媒体熱交換器６４の冷媒流路６４Ｂで蒸発する。冷媒はここでバッテリ温度調整装置６１内を循環する熱媒体から吸熱するのでバッテリ５５は前述同様に冷却される。尚、吸熱器９から出た冷媒は冷媒配管１３Ｃ、アキュムレータ１２を経て圧縮機２に吸い込まれ、冷媒−熱媒体熱交換器６４を出た冷媒も冷媒配管７４からアキュムレータ１２を経て圧縮機２に吸い込まれることになる。
【００８２】
空調コントローラ３２はこの冷房／バッテリ温調モードでも、前述した暖房／バッテリ温調モードの場合と同様に、冷房運転に代えて冷房／バッテリ温調モードを実行し、又は、冷房運転と冷房／バッテリ温調モードを切り換え、或いは、冷房／バッテリ温調モードに移行して補助膨張弁７３と熱媒体加熱ヒータ６６を制御することで、バッテリ５５の温度Ｔｂを適温範囲内である目標バッテリ温度ＴＢＯに調整する。
【００８３】
（７−３）除湿冷房／バッテリ温調モード
次に、前述した除湿冷房運転中においてバッテリ５５の温度を調整することが必要となった場合、空調コントローラ３２は除湿冷房／バッテリ温調モードを実行する。尚、この除湿冷房／バッテリ温調モードにおける冷媒回路Ｒの冷媒の流れ（実線矢印）とバッテリ温度調整装置６１の熱媒体の流れ（破線矢印）は図８と同様であるが、室外膨張弁６は全開では無く開き気味で制御される。そして、空調コントローラ３２は冷房／バッテリ温調モードの場合と同様に、除湿冷房運転に代えて除湿冷房／バッテリ温調モードを実行し、又は、除湿冷房運転と除湿冷房／バッテリ温調モードを切り換え、或いは、除湿冷房／バッテリ温調モードに移行して補助膨張弁７３と熱媒体加熱ヒータ６６を制御することで、バッテリ５５の温度Ｔｂを適温範囲内である目標バッテリ温度ＴＢＯに調整する。
【００８４】
（７−４）内部サイクル／バッテリ温調モード
次に、前述した内部サイクル運転においてバッテリ５５の温度を調整することが必要となった場合、空調コントローラ３２は内部サイクル／バッテリ温調モードを実行する。この内部サイクル／バッテリ温調モードでは、空調コントローラ３２は前述した図５の内部サイクル運転の冷媒回路Ｒの状態において、補助膨張弁７３を開いてその弁開度を制御し、バッテリ温度調整装置６１の循環ポンプ６２も運転して、冷媒−熱媒体熱交換器６４において冷媒と熱媒体とを熱交換させる状態とする。図９はこの内部サイクル／バッテリ温調モードにおける冷媒回路Ｒの冷媒の流れ（実線矢印）とバッテリ温度調整装置６１の熱媒体の流れ（破線矢印）を示している。
【００８５】
これにより、圧縮機２から吐出された高温の冷媒は放熱器４で放熱した後、電磁弁２２を経て冷媒配管１３Ｆに全て流れるようになる。そして、冷媒配管１３Ｆを出た冷媒の一部は冷媒配管１３Ｂを経て室内膨張弁８に至り、そこで減圧された後、吸熱器９に流入して蒸発する。このときの吸熱作用で室内送風機２７から吹き出された空気中の水分が吸熱器９に凝結して付着するので、空気は冷却され、且つ、除湿される。
【００８６】
冷媒配管１３Ｆを出た冷媒の残りは分岐配管７２に分流され、補助膨張弁７３で減圧された後、冷媒−熱媒体熱交換器６４の冷媒流路６４Ｂで蒸発する。冷媒はここでバッテリ温度調整装置６１内を循環する熱媒体から吸熱するのでバッテリ５５は前述同様に冷却される。尚、吸熱器９から出た冷媒は冷媒配管１３Ｃ、アキュムレータ１２を経て圧縮機２に吸い込まれ、冷媒−熱媒体熱交換器６４を出た冷媒も冷媒配管７４からアキュムレータ１２を経て圧縮機２に吸い込まれることになる。
【００８７】
空調コントローラ３２はこの内部サイクル／バッテリ温調モードでも、前述した暖房／バッテリ温調モードの場合と同様に、内部サイクル運転に代えて内部サイクル／バッテリ温調モードを実行し、又は、内部サイクル運転と内部サイクル／バッテリ温調モードを切り換え、或いは、内部サイクル／バッテリ温調モードに移行して補助膨張弁７３と熱媒体加熱ヒータ６６を制御することで、バッテリ５５の温度Ｔｂを適温範囲内である目標バッテリ温度ＴＢＯに調整する。
【００８８】
（７−５）除湿暖房／バッテリ温調モード
次に、前述した除湿暖房運転においてバッテリ５５の温度を調整することが必要となった場合、空調コントローラ３２は除湿暖房／バッテリ温調モードを実行する。この除湿暖房／バッテリ温調モードでは、空調コントローラ３２は前述した図４の除湿暖房運転の冷媒回路Ｒの状態において、補助膨張弁７３を開いてその弁開度を制御し、バッテリ温度調整装置６１の循環ポンプ６２も運転して、冷媒−熱媒体熱交換器６４において冷媒と熱媒体とを熱交換させる状態とする。図１０はこの除湿暖房／バッテリ温調モードにおける冷媒回路Ｒの冷媒の流れ（実線矢印）とバッテリ温度調整装置６１の熱媒体の流れ（破線矢印）を示している。
【００８９】
これにより、放熱器４を出た凝縮冷媒の一部が分流され、この分流された冷媒が電磁弁２２を経て冷媒配管１３Ｆに流入し、冷媒配管１３Ｆから出てその内の一部が冷媒配管１３Ｂから室内膨張弁８に流れ、残りの冷媒が室外膨張弁６に流れるようになる。即ち、分流された冷媒の内の一部が室内膨張弁８にて減圧された後、吸熱器９に流入して蒸発する。このときに吸熱器９で生じる冷媒の吸熱作用で室内送風機２７から吹き出された空気中の水分が吸熱器９に凝結して付着するので、空気は冷却され、且つ、除湿される。吸熱器９にて除湿された空気は放熱器４を通過する過程で再加熱されるので、これにより車室内の除湿暖房が行われることになる。また、放熱器４から出た凝縮冷媒の残りは、室外膨張弁６で減圧された後、室外熱交換器７で蒸発し、外気から吸熱する。
【００９０】
一方、冷媒配管１３Ｆを出た冷媒の残りは分岐配管７２に流入し、補助膨張弁７３で減圧された後、冷媒−熱媒体熱交換器６４の冷媒流路６４Ｂで蒸発する。冷媒はここでバッテリ温度調整装置６１内を循環する熱媒体から吸熱するのでバッテリ５５は前述同様に冷却される。尚、吸熱器９から出た冷媒は冷媒配管１３Ｃ、アキュムレータ１２を経て圧縮機２に吸い込まれ、室外熱交換器７から出た冷媒は冷媒配管１３Ｄ、電磁弁２１、冷媒配管１３Ｃ及びアキュムレータ１２を経て圧縮機２に吸い込まれ、冷媒−熱媒体熱交換器６４を出た冷媒も冷媒配管７４からアキュムレータ１２を経て圧縮機２に吸い込まれることになる。
【００９１】
空調コントローラ３２はこの除湿暖房／バッテリ温調モードでも、前述した暖房／バッテリ温調モードの場合と同様に、除湿暖房運転に代えて除湿暖房／バッテリ温調モードを実行し、又は、除湿暖房運転と除湿暖房／バッテリ温調モードを切り換え、或いは、除湿暖房／バッテリ温調モードに移行して補助膨張弁７３と熱媒体加熱ヒータ６６を制御することで、バッテリ５５の温度Ｔｂを適温範囲内である目標バッテリ温度ＴＢＯに調整する。
【００９２】
（７−６）バッテリ温調単独モード
次に、バッテリ５５を充電する際等に、車室内の空調を行うこと無く、バッテリ５５の温調を行うバッテリ温調単独モードについて説明する。図１１はこのバッテリ温調単独モードにおける冷媒回路Ｒの冷媒の流れ（実線矢印）とバッテリ温度調整装置６１の熱媒体の流れ（破線矢印）を示している。空調コントローラ３２圧縮機２を運転し、室外送風機１５も運転する。また、室内膨張弁８を全閉とし、補助膨張弁３７は開いて冷媒を減圧する状態とする。尚、室外膨張弁６は全開とする。更に、空調コントローラ３２は電磁弁１７、電磁弁２１を閉じ、室内送風機２７を停止する。そして、循環ポンプ６２を運転し、冷媒−熱媒体熱交換器６４において冷媒と熱媒体を熱交換させる状態とする。
【００９３】
これにより、圧縮機２から吐出された高温高圧のガス冷媒は放熱器４を経て冷媒配管１３Ｅから室外膨張弁６に至る。このとき室外膨張弁６は全開とされているので、冷媒は冷媒配管１３Ｊを通過し、そのまま室外熱交換器７に流入し、室外送風機１５にて通風される外気により空冷され、凝縮液化する。室外熱交換器７に着霜が成長していた場合は、このときの放熱作用で室外熱交換器７は除霜されることになる。
【００９４】
室外熱交換器７を出た冷媒は冷媒配管１３Ａに入るが、このとき室内膨張弁８は全閉とされているので、室外熱交換器７を出た全ての冷媒は分岐配管７２を経て補助膨張弁７３に至る。冷媒はこの補助膨張弁７３で減圧された後、冷媒−熱媒体熱交換器６４の冷媒流路６４Ｂに流入して蒸発する。このときに吸熱作用を発揮する。この冷媒流路６４Ｂで蒸発した冷媒は冷媒配管７４、冷媒配管１３Ｃ、及び、アキュムレータ１２を順次経て圧縮機２に吸い込まれる循環を繰り返す。
【００９５】
一方、循環ポンプ６２から吐出された熱媒体は熱媒体加熱ヒータ６６を経て加熱され（熱媒体加熱ヒータ６６が発熱している場合）、熱媒体配管６８内を冷媒−熱媒体熱交換器６４の熱媒体流路６４Ａに至り、そこで冷媒流路６４Ｂ内で蒸発する冷媒により吸熱され、熱媒体は冷却される。熱媒体加熱ヒータ６６で加熱され、及び／又は、冷媒の吸熱作用で冷却された熱媒体は、冷媒−熱媒体熱交換器６４を出てバッテリ５５に至り、当該バッテリ５５と熱交換した後、循環ポンプ６２に吸い込まれる循環を繰り返す（図１１に破線矢印で示す）。
【００９６】
空調コントローラ３２はこのバッテリ温調単独モードでも、前述した暖房／バッテリ温調モードの場合と同様に、補助膨張弁７３と熱媒体加熱ヒータ６６を制御することで、バッテリ５５の温度Ｔｂを適温範囲内である目標バッテリ温度ＴＢＯに調整するものである。
【００９７】
（８）始動時バッテリ温調制御
次に、図１２（図１１）、図１３を参照しながら、車両の始動時に制御部３０（空調コントローラ３２、車両コントローラ３５、及び、バッテリコントローラ４０）が実行する始動時バッテリ温調制御について説明する。
【００９８】
（８−１）始動時バッテリ温調制御におけるバッテリ加熱モード
前述した如く、外気温度が極低温環境であるときに車両が走行し始める場合、バッテリ５５の温度も極めて低くなり、バッテリ５５が出力可能な電流も低くなるため、走行用の電動モータ６５と車両用空気調和装置１による車室内の空調双方の動力を賄うことができなくなり、そのような状態でバッテリ５５を放電させるとバッテリ５５自体の耐久性にも悪影響を与えることになる。
【００９９】
そこで、制御部３０は車両を始動したとき、バッテリ温度センサ７６が検出するバッテリ５５の温度（バッテリ温度Ｔｂ）が前述した許容下限温度ＴＬ（０℃）より低い場合、始動時バッテリ温調制御におけるバッテリ加熱モードを実行する。尚、この出願において車両の始動時とは、車両が発進（走行が開始）されるということではなく、電気自動車の電源が入り（キーが回される、或いは、起動ボタンが押された状態となる等：電源ＯＮ）、車両用空気調和装置１も運転可能となる状態を意味するものとする。
【０１００】
この始動時バッテリ温調制御におけるバッテリ加熱モードでは、空調コントローラ３２は図１２に示す如く第１スイッチ８１を開き、第２スイッチ８２を閉じる。これにより、圧縮機２を含む冷媒回路Ｒの電気機器には給電が行われないようになり、車室内の空調が禁止される。一方、熱媒体加熱ヒータ６６を含むバッテリ温度調整装置６１の電気機器には給電可能な状態となる。
【０１０１】
そして、空調コントローラ３２はバッテリ温度調整装置６１の循環ポンプ６２を運転し、熱媒体加熱ヒータ６６に通電して発熱させる。これにより、循環ポンプ６２から吐出された熱媒体は熱媒体加熱ヒータ６６に至り、そこで加熱された後、熱媒体配管６８内を冷媒−熱媒体熱交換器６４の熱媒体流路６４Ａに至り、そこを通過してバッテリ５５に至るようになる。バッテリ５５は熱媒体加熱ヒータ６６で加熱された熱媒体により加熱され、温度が上昇していく。そして、このバッテリ５５と熱交換した後の熱媒体は、循環ポンプ６２に再び吸い込まれる循環を繰り返す（図１２に破線矢印で示す）。
【０１０２】
このような始動時バッテリ温調制御におけるバッテリ加熱モードでバッテリ５５の温度（バッテリ温度Ｔｂ）が上昇し、前述した許容下限温度ＴＬ以上となった場合、空調コントローラ３２は始動時バッテリ温調制御を終了し、図１２の第１スイッチ８１を閉じて圧縮機２等の冷媒回路Ｒの電気機器に給電可能とし、車室内の空調を許可する。そして、以後は前述した図７の暖房／バッテリ温調モード、図８の除湿冷房／バッテリ温調モード（冷房／バッテリ温調モード）、図９の内部サイクル／バッテリ温調モード、図１０の除湿暖房／バッテリ温調モード、或いは、図１１のバッテリ温調単独モードにより、空調コントローラ３２はバッテリ温度Ｔｂを許容下限温度ＴＬ以上の目標バッテリ温度ＴＢＯに維持する。
【０１０３】
図１３は、係る始動時バッテリ温調制御におけるバッテリ加熱モードでのバッテリ温度Ｔｂと熱媒体加熱ヒータ６６の出力Ｑｈの推移の一例を示している。バッテリ温度Ｔｂが許容下限温度ＴＬより低い状態では熱媒体加熱ヒータ６６の出力Ｑｈは最大とされる。その後、バッテリ温度Ｔｂが上昇していき、許容下限温度ＴＬに達すると（ここまでがバッテリ加熱区間）、空調コントローラ３２は熱媒体加熱ヒータ６６の出力Ｑｈを徐々に低下させていく。そして、以後はバッテリ温度Ｔｂが目標バッテリ温度ＴＢＯとなるように、ＰＩＤ制御等で熱媒体加熱ヒータ６６の出力Ｑｈを調整していく（バッテリ温度維持区間）。
【０１０４】
このように、制御部３０の空調コントローラ３２は、車両を始動したとき、バッテリ５５の温度（バッテリ温度Ｔｂ）が所定の許容下限温度ＴＬより低い場合、車両用空気調和装置１による車室内の空調を禁止し、当該車両用空気調和装置１のバッテリ温度調整装置６１によりバッテリ５５を加熱する始動時バッテリ温調制御のバッテリ加熱モードを実行するようにしたので、車両の始動時にバッテリ５５の温度が低く、車室内の空調と走行に必要な動力が賄えなくなる状況下において、走行に影響を与えること無く、バッテリ５５の劣化を防止することが可能となり、バッテリ５５の耐久性の向上を図ることができるようになる。
【０１０５】
この場合、空調コントローラ３２は車両用空気調和装置１のバッテリ温度調整装置６１によりバッテリ５５を加熱するので、早期にバッテリ５５の温度を上昇させることができるようになる。これにより、車室内の空調も早期に開始することができるようになる。そして、空調コントローラ３２は、バッテリ温度Ｔｂが許容下限温度ＴＬ以上に上昇した場合、始動時バッテリ温調制御を終了して車両用空気調和装置１による車室内の空調を許可すると共に、以後は車両用空気調和装置１によりバッテリ５５の温度を許容下限温度ＴＬ以上に維持するようにしたので、車室内の空調を行いながらバッテリ５５の状態を良好に維持することができるようになる。
【０１０６】
特に、実施例の如く車両用空気調和装置１として、冷媒を圧縮する圧縮機２と、冷媒を放熱させて車室内に供給する空気を加熱する放熱器４と、冷媒を吸熱させて車室内に供給する空気を冷却する吸熱器９と、車室外に設けられて冷媒を吸熱、又は、放熱させる室外熱交換器７と、バッテリ５５に熱媒体を循環させて当該バッテリ５５の温度を調整するバッテリ温度調整装置６１を備え、このバッテリ温度調整装置６１が、冷媒と熱媒体とを熱交換させる冷媒−熱媒体熱交換器６４と、熱媒体を加熱する熱媒体加熱ヒータ６６を有すると共に、空調コントローラ３２が、バッテリ５５自体の温度、又は、熱媒体の温度をバッテリ温度Ｔｂとして車両用空気調和装置１の運転を制御するものを用いることで、以上の制御を円滑に実現することができるようになる。
【０１０７】
（８−２）始動時バッテリ温調制御におけるバッテリ冷却モード
また、前述した如く外気温度が高温の環境であるときに車両が走行し始める場合には、バッテリ５５の温度も極めて高くなるため、そのような状態でもバッテリ５５を放電させるとバッテリ５５自体の耐久性に悪影響を与えることになる。
【０１０８】
そこで、制御部３０は車両を始動したとき、バッテリ温度センサ７６が検出するバッテリ５５の温度（バッテリ温度Ｔｂ）が前述した許容上限温度ＴＨ（＋４０℃）より高い場合、始動時バッテリ温調制御におけるバッテリ冷却モードを実行する。
【０１０９】
この始動時バッテリ温調制御におけるバッテリ冷却モードの冷媒と熱媒体の流れは前述した図１１のバッテリ温調単独モードの場合と同様である。但し、熱媒体加熱ヒータ６６には通電しない。即ち、空調コントローラ３２は第１スイッチ８１及び第２スイッチ８２を閉じて圧縮機２を含む冷媒回路Ｒの電気機器とバッテリ温度調整装置６１の電気機器に給電可能とする。そして、圧縮機２を運転し、室外送風機１５も運転する。また、室内膨張弁８を全閉とし、補助膨張弁３７は開いて冷媒を減圧する状態とする。尚、室外膨張弁６は全開とする。更に、空調コントローラ３２は電磁弁１７、電磁弁２１を閉じ、室内送風機２７を停止する。これにより、車室内の空調は禁止される。そして、循環ポンプ６２を運転し、冷媒−熱媒体熱交換器６４において冷媒と熱媒体を熱交換させる状態とする。
【０１１０】
これにより、圧縮機２から吐出された高温高圧のガス冷媒は放熱器４を経て冷媒配管１３Ｅから室外膨張弁６に至る。このとき室外膨張弁６は全開とされているので、冷媒は冷媒配管１３Ｊを通過し、そのまま室外熱交換器７に流入し、室外送風機１５にて通風される外気により空冷され、凝縮液化する。
【０１１１】
室外熱交換器７を出た冷媒は冷媒配管１３Ａに入るが、このとき室内膨張弁８は全閉とされているので、室外熱交換器７を出た全ての冷媒は分岐配管７２を経て補助膨張弁７３に至る。冷媒はこの補助膨張弁７３で減圧された後、冷媒−熱媒体熱交換器６４の冷媒流路６４Ｂに流入して蒸発する。このときに吸熱作用を発揮する。この冷媒流路６４Ｂで蒸発した冷媒は冷媒配管７４、冷媒配管１３Ｃ、及び、アキュムレータ１２を順次経て圧縮機２に吸い込まれる循環を繰り返す。
【０１１２】
一方、循環ポンプ６２から吐出された熱媒体は、熱媒体加熱ヒータ６６を通過して熱媒体配管６８内を冷媒−熱媒体熱交換器６４の熱媒体流路６４Ａに至り、そこで冷媒流路６４Ｂ内で蒸発する冷媒により吸熱され、熱媒体は冷却される。この冷媒の吸熱作用で冷却された熱媒体は、冷媒−熱媒体熱交換器６４を出てバッテリ５５に至り、当該バッテリ５５と熱交換して冷却した後、循環ポンプ６２に吸い込まれる循環を繰り返す（図１１中の破線矢印）。
【０１１３】
このような始動時バッテリ温調制御におけるバッテリ冷却モードでバッテリ５５の温度（バッテリ温度Ｔｂ）が低下し、前述した許容上限温度ＴＨ以下となった場合、空調コントローラ３２は始動時バッテリ温調制御を終了し、車室内の空調を許可する。そして、以後は前述した図７の暖房／バッテリ温調モード、図８の除湿冷房／バッテリ温調モード（冷房／バッテリ温調モード）、図９の内部サイクル／バッテリ温調モード、図１０の除湿暖房／バッテリ温調モード、或いは、図１１のバッテリ温調単独モードにより、空調コントローラ３２はバッテリ温度Ｔｂを許容上限温度ＴＨ以下の目標バッテリ温度ＴＢＯに維持する。
【０１１４】
このように、制御部３０の空調コントローラ３２は、始動時バッテリ温調制御において、バッテリ５５の温度が所定の許容上限温度ＴＨより高い場合、車両用空気調和装置１による車室内の空調を禁止し、当該車両用空気調和装置１によりバッテリ５５を冷却するバッテリ冷却モードを実行するので、車両の始動時にバッテリ５５の温度が高い場合にも、走行に影響を与えること無く、バッテリ５５の劣化を防止し、バッテリ５５の耐久性の向上を図ることができるようになる。
【０１１５】
この場合、空調コントローラ３２は車両用空気調和装置１によりバッテリ５５を冷却するので、早期にバッテリ温度Ｔｂを低下させることができるようになる。これにより、係る場合にも車室内の空調を早期に開始することができるようになる。そして、空調コントローラ３２は、バッテリ温度Ｔｂが許容上限温度ＴＨ以下に低下した場合、始動時バッテリ温調制御を終了して車両用空気調和装置１による車室内の空調を許可すると共に、以後は車両用空気調和装置１によりバッテリ５５の温度を許容上限温度ＴＨ以下に維持するようにしたので、車室内の空調を行いながらバッテリ５５の状態を良好に維持することができるようになる。
【０１１６】
（８−３）始動時バッテリ温調制御における走行禁止制御
尚、車両を始動後、直ぐに走行する必要が無い使用状況である場合には、上記のような空調コントローラ３２による車室内の空調禁止に加えて、車両コントローラ３５により、走行用の電動モータ６５の駆動も行わないようにして、車両の走行も禁止するようにしてもよい。その場合には、例えば予め制御部３０の空調コントローラ３２や車両コントローラ３５に始動時バッテリ温調制御の実行時には車両の走行も禁止する設定を行うようにする。また、空調コントローラ３２から車両コントローラ３５に始動時バッテリ温調制御を実行する旨の通知を行い、車両コントローラ３５が係る通知を受け取った場合、走行を禁止するようにする。
【０１１７】
そして、上述のように始動時バッテリ温調制御を終了した場合には、車両の走行を許可するようにする。このように始動時バッテリ温調制御において、車両の走行も禁止するようにすれば、より一層バッテリ５５の劣化を防止しながら、早期にバッテリ５５の温度を上昇させ、或いは、低下させて、走行と車室内の空調を早期に可能とすることができるようになる。
【０１１８】
（８−４）プレ空調時の始動時バッテリ温調制御
また、実施例の制御部３０の空調コントローラ３２は、予め設定された所定のプレ空調開始予定時刻ｔ１に車両を始動し、車両用空気調和装置１による車室内の空調を開始することができるプレ空調機能を有している。そして、空調コントローラ３２は使用者により、空調操作部５３からプレ空調開始予定時刻ｔ１（例えば、午前６時等）が設定されると、当該時刻ｔ１に車両を始動し（電源が入る：電源ＯＮ）、車両用空気調和装置１による車室内の空調を開始するものであるが、その場合にも、前述した始動時バッテリ温調制御を実行する。
【０１１９】
即ち、空調コントローラ３２は、プレ空調開始予定時刻ｔ１の時点でバッテリ温度Ｔｂが前述した許容下限温度ＴＬより低い場合には始動時バッテリ温調制御のバッテリ加熱モードを実行し、バッテリ温度Ｔｂが許容下限温度ＴＬ以上に上昇した時点で、車室内の空調を開始する。同じくプレ空調開始予定時刻ｔ１の時点でバッテリ温度Ｔｂが前述した許容上限温度ＴＨより高い場合には始動時バッテリ温調制御のバッテリ冷却モードを実行し、バッテリ温度Ｔｂが許容上限温度ＴＨ以下に低下した時点で、車室内の空調を開始する。これにより、車室内をプレ空調する際にも、バッテリ５５の劣化を防止することができるようになる。
【０１２０】
尚、実施例では制御部３０の空調コントローラ３２が、始動時バッテリ温調制御において、バッテリ加熱モードとバッテリ冷却モードの双方を実行するようにしたが、それに限らず、請求項１の発明ではバッテリ加熱モードのみを実行するものでもよく、請求項３の発明ではバッテリ冷却モードのみを実行するものでもよい。また、上記実施例で説明した車両用制御システムＶＣの制御部３０の構成、冷媒回路Ｒやバッテリ温度調整装置６１の構成はそれに限定されるものでは無く、本発明の趣旨を逸脱しない範囲で変更可能であることは云うまでもない。
【符号の説明】
【０１２１】
ＶＣ  車両用制御システム
１  車両用空気調和装置
２  圧縮機
４  放熱器
６  室外膨張弁
７  室外熱交換器
８  室内膨張弁
９  吸熱器
２１、２２  電磁弁
３０  制御部
３２  空調コントローラ
３５  車両コントローラ
４０  バッテリコントローラ
５５  バッテリ
６１  バッテリ温度調整装置
６２  循環ポンプ
６４  冷媒−熱媒体熱交換器
６６  熱媒体加熱ヒータ（加熱装置）
７２  分岐配管（分岐回路）
７３  補助膨張弁
８１  第１スイッチ
８２  第２スイッチ
【図１】
2019169260.tif 000003
【図２】
2019169260.tif 000004
【図３】
2019169260.tif 000005
【図４】
2019169260.tif 000006
【図５】
2019169260.tif 000007
【図６】
2019169260.tif 000008
【図７】
2019169260.tif 000009
【図８】
2019169260.tif 000010
【図９】
2019169260.tif 000011
【図１０】
2019169260.tif 000012
【図１１】
2019169260.tif 000013
【図１２】
2019169260.tif 000014
【図１３】
2019169260.tif 000015